(57)【要約】【課題】固定設置された外枠と、左右方向一端側に設けられた上下方向の回動軸を回動中心にしてその外枠に対して開閉可能に取り付けられた内枠とを有するパチンコ機に関し、パチンコ球から除去した静電気をグラウンド端子まで電気的に導く経路にアース線を極力用いなくてもすむようにする。【解決手段】パチンコ機１において扱われているパチンコ球が帯びた静電気をパチンコ球に接することでパチンコ球から除去するアース部材１２２，１５４１，１８２１と、パチンコ機１外のグラウンドラインに接続されるグラウンド端子１４６１とを備え、ロックユニット２０が、アース部材１２２，１５４１，１８２１とグラウンド端子１４６１を電気的に接続する経路の一部をなすものである。【選択図】        図４
2008131984.tif 000002
【特許請求の範囲】
【請求項１】
固定設置された外枠と、左右方向一端側に設けられた上下方向の回動軸を回動中心にして前記外枠に対して開閉可能に取り付けられた内枠と、前記内枠の、前記一端側とは反対側に設けられ、前記外枠に係合して前記内枠を閉まった状態に拘束する上下に延びたロックユニットとを有するパチンコ機において、
このパチンコ機において扱われているパチンコ球が帯びた静電気を該パチンコ球に接することで該パチンコ球から除去するアース部材と、
このパチンコ機外のグラウンドラインに接続されるグラウンド端子とを備え、
前記ロックユニットが、前記アース部材と前記グラウンド端子を電気的に接続する経路の一部をなすものであることを特徴とするパチンコ機。
【請求項２】
前記内枠に取り付けられ遊技者の方を向いた面がおもて面になる、遊技領域が設けられた遊技盤と、
前記一端側と同じ側に設けられた上下方向の回動軸を回動中心にして前記内枠に対して開閉可能に取り付けられ、閉まった状態で前記遊技盤をおもて側から覆うガラス枠と
前記遊技領域の上方にパチンコ球を案内する、前記アース部材としての機能を果たす導電性のレール部材とを備え、
前記内枠が、前記レール部材に接続しおもて側に突出した接続金具を有するものであって、
前記ガラス枠が、閉まった状態で前記接続金具に接触する、裏面に拡がった金属板を有するものであり、
前記ロックユニットが、前記ガラス枠の金属板に係合し該ガラス枠を閉まった状態に拘束する導電性のガラス枠用ロック片を有し、前記レール部材と前記グラウンド端子を電気的に接続する経路の一部をなすものであることを特徴とする請求項１記載のパチンコ機。
【請求項３】
前記内枠に取り付けられ、遊技領域が設けられた遊技盤と、
前記一端側と同じ側に設けられた上下方向の回動軸を回動中心にして前記内枠に対して開閉可能に取り付けられ、前記遊技盤よりも下方に位置する上皿ユニットとを備え、
前記上皿ユニットが、前記遊技領域へ向けてパチンコ球を発射する発射装置に供給するパチンコ球を貯留しておく上皿と、該上皿から該発射装置へ向けて延在し、前記アース部材としての機能を果たす導電性の供給路と、該供給路に接続し裏面に拡がった金属板とを有するものであり、
前記ロックユニットが、前記上皿ユニットの金属板に係合し該上皿ユニットを閉まった状態に拘束する導電性の上皿ユニット用ロック片を有し、前記供給路と前記グラウンド端子を電気的に接続する経路の一部をなすものであることを特徴とする請求項１記載のパチンコ機。
【請求項４】
前記内枠の裏面側上方に設けられ、パチンコ球を貯留するとともに貯留したパチンコ球を下方へ向けて案内する裏セット上部と、
前記裏セット上部に取り付けられ、前記アース部材としての機能を果たす金属板と、
前記金属板と前記ロックユニットを電気的に結ぶ接続金具とを備えたことを特徴とする請求項１記載のパチンコ機。
【請求項５】
前記内枠に取り付けられ、遊技領域が設けられた遊技盤と、
前記遊技領域へ向けてパチンコ球を発射する、前記遊技盤よりも下方に設けられた発射装置とを備え、
前記発射装置が、前記内枠に取り付けられた金属製のフレームと、該フレームに設けられ該フレームに電気的に導通し、発射されたパチンコ球を前記遊技盤まで案内する導電性の発射レールとを有するものであり、
さらに、前記フレームと前記グラウンド端子を電気的に接続する経路の一部をなす接続金具を備えたことを特徴とする請求項１記載のパチンコ機。
【発明の詳細な説明】
【技術分野】
【０００１】
本発明は、固定設置された外枠と、左右方向一端側に設けられた上下方向の回動軸を回動中心にしてその外枠に対して開閉可能に取り付けられた内枠とを有するパチンコ機に関する。
【背景技術】
【０００２】
昨今のパチンコ機は、パチンコホールに取り付けられた外枠に内枠が開閉可能に取付けられている。また、内枠に取り付けられた遊技盤をおもて側から覆うガラス枠は内枠に対して開閉可能に取り付けられ、さらには、内枠の裏側でパチンコ球を貯留するとともに貯留したパチンコ球を払い出す裏セットも内枠に対して開閉可能に取り付けられている。
【０００３】
ところで、パチンコ機において扱われているパチンコ球は静電気を帯びていることが多く、この静電気は、パチンコ機の電気的制御部に障害をもたらす恐れがある。そのため従来より、パチンコ球が帯びた静電気を除去する技術が提案されている（例えば、特許文献１等参照）。パチンコ球から除去した静電気は、最終的にはパチンコ機外のグラウンドラインへ逃がしており、このグラウンドラインに接続するグラウンド端子を備えたパチンコ機では、パチンコ球から除去した静電気をそのグラウンド端子まで電気的に導く経路が設けられている。
【特許文献１】特開平５−２２８２５７号公報
【発明の開示】
【発明が解決しようとする課題】
【０００４】
パチンコ球から除去した静電気をそのグラウンド端子まで電気的に導く経路にアース線が用いられ、そのアース線を外さないと内枠やガラス枠や裏セットの開閉を行うことができないようでは面倒である。そのため、内枠やガラス枠や裏セットの開閉時にアース線を外さなくてもすむようにしようとすると、アース線の取り回しが複雑になり、今度は組み立てた時に面倒になる。また、アース線が多用されていると、組み立てた後にアース線を一つ一つネジ止めする必要が生じ、手間がかかる。
【０００５】
本発明は、上記事情に鑑み、パチンコ球から除去した静電気をグラウンド端子まで電気的に導く経路にアース線を極力用いなくてもすむ工夫がなされたパチンコ機を提供することを目的とする。
【課題を解決するための手段】
【０００６】
上記目的を達成するための本発明のパチンコ機は、固定設置された外枠と、左右方向一端側に設けられた上下方向の回動軸を回動中心にして上記外枠に対して開閉可能に取り付けられた内枠と、上記内枠の、上記一端側とは反対側に設けられ、上記外枠に係合して上記内枠を閉まった状態に拘束する上下に延びたロックユニットとを有するパチンコ機において、
このパチンコ機において扱われているパチンコ球が帯びた静電気をそのパチンコ球に接することでそのパチンコ球から除去するアース部材と、
このパチンコ機外のグラウンドラインに接続されるグラウンド端子とを備え、
上記ロックユニットが、上記アース部材と上記グラウンド端子を電気的に接続する経路の一部をなすものであることを特徴とする。
【０００７】
本発明のパチンコ機によれば、上記アース部材と上記グラウンド端子を電気的に接続する経路の一部として上記ロックユニットを利用している。このロックユニットは、上下に延びたものであり、上記経路のうち上下方向に延びる部分を広範囲にカバーすることができ、上記経路にアース線を極力用いなくてもすむことになる。
【０００８】
また、本発明のパチンコ機において、上記内枠に取り付けられ遊技者の方を向いた面がおもて面になる、遊技領域が設けられた遊技盤と、
上記一端側と同じ側に設けられた上下方向の回動軸を回動中心にして上記内枠に対して開閉可能に取り付けられ、閉まった状態で上記遊技盤をおもて側から覆うガラス枠と
上記遊技領域の上方にパチンコ球を案内する、上記アース部材としての機能を果たす導電性のレール部材とを備え、
上記内枠が、上記レール部材に接続しおもて側に突出した接続金具を有するものであって、
上記ガラス枠が、閉まった状態で上記接続金具に接触する、裏面に拡がった金属板を有するものであり、
上記ロックユニットが、上記ガラス枠の金属板に係合しそのガラス枠を閉まった状態に拘束する導電性のガラス枠用ロック片を有し、上記レール部材と上記グラウンド端子を電気的に接続する経路の一部をなすものである態様であってもよい。
【０００９】
上記レール部材が上記アース部材としての機能を果たすこの態様によれば、上記遊技領域へ打ち込まれるパチンコ球から静電気を除去することができる。除去された静電気は、上記接続金具から上記ガラス枠の金属板を通って上記ガラス枠用ロック片に達し、上記ロックユニットを流れて上記グラウンド端子に到達する。
【００１０】
また、本発明のパチンコ機において、上記内枠に取り付けられ、遊技領域が設けられた遊技盤と、
上記一端側と同じ側に設けられた上下方向の回動軸を回動中心にして上記内枠に対して開閉可能に取り付けられ、上記遊技盤よりも下方に位置する上皿ユニットとを備え、
上記上皿ユニットが、上記遊技領域へ向けてパチンコ球を発射する発射装置に供給するパチンコ球を貯留しておく上皿と、その上皿からその発射装置へ向けて延在し、上記アース部材としての機能を果たす導電性の供給路と、その供給路に接続し裏面に拡がった金属板とを有するものであり、
上記ロックユニットが、上記上皿ユニットの金属板に係合しその上皿ユニットを閉まった状態に拘束する導電性の上皿ユニット用ロック片を有し、上記供給路と上記グラウンド端子を電気的に接続する経路の一部をなすものである態様であってもよい。
【００１１】
上記供給路が上記アース部材としての機能を果たすこの態様によれば、上記発射装置へ供給するパチンコ球から静電気を除去することができる。除去された静電気は、上記上皿ユニットの金属板を通って上記上皿ユニット用ロック片から上記ロックユニットを流れ、上記グラウンド端子に到達する。なお、上記上皿ユニットは導電性の樹脂材料で成形されたものであることが、広範囲にわたって静電気を除去しやすくなることから好ましい。
【００１２】
さらに、本発明のパチンコ機において、上記内枠の裏面側上方に設けられ、パチンコ球を貯留するとともに貯留したパチンコ球を下方へ向けて案内する裏セット上部と、
上記裏セット上部に取り付けられ、上記アース部材としての機能を果たす金属板と、
上記金属板と上記ロックユニットを電気的に結ぶ接続金具とを備えた態様であってもよい。
【００１３】
上記裏セット上部に取り付けられた金属板が上記アース部材としての機能を果たすこの態様によれば、上記内枠の裏面側上方にあるパチンコ球から静電気を除去することができる。除去された静電気は、上記接続金具を通って上記ロックユニットへ流れ、上記グラウンド端子に到達する。なお、上記接続金具はバネ性を有するものであることが、電気的接続を確実にする上で好ましい。また、上記裏セット上部は導電性の樹脂材料で成形されたものであることが、広範囲にわたって静電気を除去しやすくなることから好ましい。
【００１４】
またさらに、本発明のパチンコ機において、上記内枠に取り付けられ、遊技領域が設けられた遊技盤と、
上記遊技領域へ向けてパチンコ球を発射する、上記遊技盤よりも下方に設けられた発射装置とを備え、
上記発射装置が、上記内枠に取り付けられた金属製のフレームと、そのフレームに設けられそのフレームに電気的に導通し、発射されたパチンコ球を上記遊技盤まで案内する導電性の発射レールとを有するものであり、
さらに、上記フレームと上記グラウンド端子を電気的に接続する経路の一部をなす接続金具を備えた態様であってもよい。
【００１５】
この態様では、上記発射レールによってパチンコ球から静電気を除去する。こうして除去した静電気のアース経路の一部として上記ロックユニットを用いてもよいがここでは用いずに、除去された静電気は、上記フレームから上記接続金具を流れ、上記グラウンド端子に到達する。この態様によれば、上記発射装置から発射された直後のパチンコ球からも静電気を除去することができる。
【発明の効果】
【００１６】
本発明によれば、パチンコ球から除去した静電気をグラウンド端子まで電気的に導く経路にアース線を極力用いなくてもすむ工夫がなされたパチンコ機を提供することができる。
【発明を実施するための最良の形態】
【００１７】
以下図面を参照して本発明の実施の形態を説明する。
【００１８】
まず、本発明のパチンコ機の一実施形態に相当するパチンコ機の全体にわたる大まかな説明を行う。
【００１９】
図１は、本実施形態のパチンコ機を示す斜視図である。
【００２０】
以下の説明では、図１の左手前側をおもて側（遊技者側）と称し、右奥側を裏側と称する。
【００２１】
図１に示すパチンコ機１は、外枠１１と内枠１２とガラス枠１３を有する。外枠１１は、パチンコホールに固定設置された木枠である。内枠１２は、外枠１１に対して、おもて側から見たときの左側に設けられた上下方向の回動軸を回動中心にして開閉可能に取付けられたものである。また、ガラス枠１３は、内枠１２に対して、その内枠１２と同じ左側に設けられた上下方向の回動軸１３Ｌを回動中心にして開閉可能に取付けられたものである。図１には、内枠１２は閉じてガラス枠１３は開けた状態が示されている。ガラス枠１３の裏側には、２枚のガラス板１３１が前後に重なった状態で保持されている。
【００２２】
図１に示すパチンコ機１の中央部分には遊技盤１４が配置されている。この遊技盤１４は、内枠１２に裏側から固定配置されたものであり、遊技者の方を向いた面がおもて面になる。遊技盤１４には、遊技領域Ｐが形成されている。ガラス枠１３は閉まった状態で遊技盤１４をおもて側から覆う。遊技者が、ガラス枠１３に保持されたガラス板１３１を介して遊技盤１４を視認することができる領域は円形の領域ｃである。
【００２３】
ガラス枠１３のすぐ下には上皿ユニット１５が設けられている。この上皿ユニット１５も、ガラス枠１３と同様に、図１の左側に設けられた上下方向の回動軸を回動中心にして内枠１２に対して開閉可能に取り付けられたものであり、この図１には上皿ユニット１５が閉められた状態が示されている。上皿ユニット１５には上皿１５１が設けられている。また、上皿ユニット１５のすぐ下には下皿ユニット１６がネジ止めされている。下皿ユニット１６には、上皿１５１の真下になる位置に下皿１６１が設けられているとともにその下皿１６１の右横には発射ハンドル１６２が設けられている。上皿１５１も下皿１６１もパチンコ球を貯留する部位である。上皿ユニット１５には、上皿１５１にパチンコ球を払出すための玉貸ボタン１５２ａや、いわゆるＣＲユニットからカードを返却するためのカード返却ボタン１５２ｂや、上皿１５１に貯留されているパチンコ球を下皿１６１へ移すための移動ボタン１５３が設けられている。発射ハンドル１６２は、回転操作自在なものであり、遊技者がこの発射ハンドル１６２を回転操作することで、上皿１５１に貯留されていたパチンコ球が遊技領域Ｐの上方に向かって打ち込まれる。下皿１６１にはファール球や払戻し球が貯留され、操作レバー１６３を操作すると、下皿１６１に貯留されていたパチンコ球が下方へ排出される。
【００２４】
図２は、図１に示すパチンコ機の内枠を開いた状態を示す斜視図である。
【００２５】
この図２に示す内枠１２はおもて側へ略９０°開いた状態にあり、内枠１２の裏側が紙面手前を向いている。
【００２６】
上述のごとく、内枠１２の裏側には遊技盤１４が固定配置されており、その遊技盤１４の裏側には、パチンコ機１全体の制御を行う主制御基板１４５が取り付けられている。この主制御基板１４５は、透明な基板ボックス１４５１によって裏側から覆われている。
【００２７】
主制御基板１４５の下には、パチンコ機１に電力を供給するための電源基板１４６が配備されている。電源基板１４６には、グラウンド端子１４６１が設けられており、図２では、そのグラウンド端子１４６１にコネクタ３４１が接続されているが、このコネクタ３４１については後述する。また、電源基板１４６からは、コンセントプラグコード１４６２と、グラウンド端子１４６１に電気的につながったアースコード１４６３が延びている。アースコード１４６３は、このパチンコ機１外のグラウンドラインに接続されるものである。
【００２８】
電源基板１４６の右横には払出制御基板１４７が配備されているとともに、電源基板１４６の左奧には発射制御基板１４８も配備されている。なお、電源基板１４６、払出制御基板１４７、および発射制御基板１４８も主制御基板１４５と同じく透明な基板ボックスによって覆われている。
【００２９】
また、内枠１２の裏側には、主制御基板１４５の基板ボックス１４５１の上縁と右縁に沿うように、Ｌ字を上下反対にした形状の裏セット１８が取り付けられている。この裏セット１８も、内枠１２に対して開閉可能に取付られており、図２の右側に設けられた上下方向の回動軸１８ａを回動中心にして内枠１２に対して開閉する。この図２には裏セット１８が閉められた状態が示されている。
【００３０】
裏セット１８は、導電性の樹脂材料で成形されたものある。裏セット１８の左右方向に延びた部分（上部）には、貯留タンク１８１と、１次レール１８２が配備されている。この貯留タンク１８１は、パチンコ球を貯留する上方が開口した箱状のものである。貯留タンク１８１の底壁１８１１は下方へ向けて傾斜しており、最も低くなった部位にパチンコ球の排出口１８１２が開口している。１次レール１８２は、図の手前側と奥側に並んだ並列構造の２本レールであり、貯留タンク１８１の排出口１８１２に接続され下方へ向けて傾斜している。貯留タンク１８１に貯留されているパチンコ球は、この１次レール１８２を通って流下する。図２においては、パチンコ球は１次レール１８２の左側から右側に向かって流下する。したがって、裏セット１８の上部は、パチンコ球を貯留するとともに貯留したパチンコ球を下方へ向けて案内する部位である。
【００３１】
また、裏セット１８には、１次レール１８２につながった透明な２次レール１８３と、その２次レール１８３につながった払出カセット１８４も設けられている。パチンコ機１の裏側では、貯留タンク１８１、１次レール１８２、２次レール１８３、払出カセット１８４の順でパチンコ球が流下していく。２次レール１８３も１次レール１８２と同じく、図の手前側と奥側に並んだ並列構造の２本レールである。２次レール１８３は蛇行しながら下方へ延びている。２次レール１８３を通過したパチンコ球は払出カセット１８４に２列になって供給される。払出カセット１８４は、払出制御基板１４７による制御のもと、回転する部材によって球送りを行うものである。払出カセット１８４からはパチンコ球が１球ずつ送り出され、送り出されたパチンコ球は、裏セット１８の排出口（不図示）を経て、図１に示す上皿１５１に供給される。
【００３２】
さらに、内枠１２の裏側の、裏セット１８の回動軸１８ａが設けられた側とは反対側（右縦縁１２Ｒ側）にはロックユニット２０が設けられている。このロックユニット２０は、外枠１１に係合して内枠１２を閉まった状態に拘束する上下に延びた導電性の錠前ユニットである。
【００３３】
図３は、図２に示すロックユニットの側面図である。
【００３４】
図３では、左側がおもて側になり右側が裏側になる。この図３では、ロックユニット２０が取り付けられた内枠１２、さらには外枠１１、ガラス枠１３、および上皿ユニット１５も図示省略され、ロックユニット２０のみが示されている。このロックユニット２０と、図示省略された外枠１１，ガラス枠１３，および上皿ユニット１５との位置関係は、図３の右側に外枠１１が位置するとともに、左上側にガラス枠１３、左下側に上皿ユニット１５がそれぞれ位置することになる。
【００３５】
図３に示すロックユニット２０は、鍵穴部２１と、外枠ロック部２２と、ガラス枠ロック部２３と、上皿ユニットロック部２４を有する。
【００３６】
外枠ロック部２２は、外枠（図３では右側）に向かって突出した外枠用ロック片２２１を上下に１つずつ有する。これらの外枠用ロック片２２１には、上方へ向かって切り欠かれたロック溝２２１１が設けられており、このロック溝２２１１が外枠に係合すると、外枠に対して内枠が閉まった状態に拘束される。これらの外枠用ロック片２２１は、ロックユニット２０に設けられたバネ２２２によって下方へ向けて付勢されている。内枠が閉められると、下方へ向けて付勢されている外枠用ロック片２２１のロック溝２２１１が外枠に係合する。内枠が閉められた状態で、鍵穴部２１に鍵を差し込んで右に回すと、外枠用ロック片２２１が持ち上がり、ロック溝２２１１による外枠との係合が解除される。
【００３７】
ガラス枠ロック部２３は、ガラス枠（図３では左側）に向かって突出したガラス枠用ロック片２３１を上下に１つずつ有する。これらのガラス枠用ロック片２３１には、下方へ向かって切り欠かれたロック溝２３１１が設けられており、このロック溝２３１１がガラス枠に係合すると、内枠に対してガラス枠が閉まった状態に拘束される。これらのガラス枠用ロック片２３１は、ロックユニット２０に設けられたバネ２３２によって上方へ向けて付勢されている。ガラス枠が閉められると、上方へ向けて付勢されているガラス枠用ロック片２３１のロック溝２３１１がガラス枠に係合する。ガラス枠が閉められた状態で、鍵穴部２１に鍵を差し込んで左に回すことでガラス枠用ロック片２３１が押し下げられ、ロック溝２３１１によるガラス枠との係合が解除される。なお、上下のガラス枠用ロック片２３１の中間には、押出部材２３３が設けられている。この押出部材２３３は、鍵穴部２１に差し込んだ鍵を左に回すことで矢印方向に回動し、ガラス枠を開く方向へ押し出す。また、裏側へ突出した操作片２３４も設けられている。この操作片２３４は、内枠の裏側からでもガラス枠用ロック片２３１を押し下げることができるように設けられたものであり、この操作片２３４を押し下げることでガラス枠用ロック片２３１も押し下げられる。
【００３８】
上皿ユニットロック部２４は、上皿ユニット（図３では左側）に向かって突出した２つの上皿ユニット用ロック片２４１を有する。これらの上皿ユニット用ロック片２４１もガラス枠用ロック片２３１と同じく、下方へ向かって切り欠かれたロック溝２４１１が設けられている。このロック溝２４１１が上皿ユニットに係合すると、内枠に対して上皿ユニットが閉まった状態に拘束される。これらの上皿ユニット用ロック片２４１も、ロックユニット２０に設けられたバネ２４２によって上方へ向けて付勢されている。上皿ユニットが閉められると、上方へ向けて付勢されている上皿ユニット用ロック片２４１のロック溝２４１１が上皿ユニットに係合する。このロック溝２４１１による上皿ユニットへの係合は、ガラス枠を開けると操作可能になるレバーを押し下げることで解除される。
【００３９】
続いて、本実施形態のパチンコ機１には、このパチンコ機１において扱われているパチンコ球が帯びた静電気を除去するアース構造がいくつか設けられている。以下、それらのアース構造について一つずつ詳述する。
【００４０】
まず、これらのアース構造について共通している点は、図３に示すロックユニット２０をアース経路の一部として利用している点にある。ロックユニット２０は上下に延びた導電性のものであるため、本実施形態のパチンコ機１では、このロックユニット２０を上下に延びるアース経路の一部として有効利用している。
【００４１】
図４は、図３に示すロックユニットをアース経路の一部として利用していることを説明するための斜視図である。
【００４２】
この図４では、左奥側がおもて側になり右手前側が裏側になる。
【００４３】
図４に示すロックユニット２０は、接続金具３１を介して第１板金３２に接続している。接続金具３１はバネ性を持ったＵ字部３１１を有し、第１板金３２は折曲片３２１を有する。図４に示すようにＵ字部３１１と折曲片３２１が接触している。Ｕ字部３１１と折曲片３２１が接触することで、Ｕ字部３１１は、折曲片３２１に押されるがバネ性によって折曲片３２１を押し返し、両者は確実に接触する。第１板金３２は、内枠の裏面側に取り付けられ横方向に延びたものであり、図２では隠れて見えないが発射制御基板１４８の後側に位置している。また、この第１板金３２には第２板金３３が接続している。第２板金３３は、横方向に延びた帯状のものであり、図２ではその一部が見えている。すなわち、第２板金３３は、一段下がった発射制御基板１４８の後側から延びて電源基板１４６の後ろを通り払出制御基板１４７の後ろまで延びている。図４に示すように、この第２板金３３の途中には、アース線３４がネジ止めされており、そのアース線３４の先端にはコネクタ３４１が設けられている。このコネクタ３４１は、図２に示す電源基板１４６のグラウンド端子１４６１に差し込まれる。
【００４４】
以上をまとめると、ロックユニット２０→接続金具３１→第１板金３２→第２板金３３→アース線３４→グラウンド端子１４６１→アースコード１４６３→グラウンドラインといったアース経路になる。
【００４５】
また、図４には発射装置４０が示されている。ここで、図４とともに図５も参照して発射装置４０について詳述する。
【００４６】
図５は、ガラス枠、上皿ユニット、および下皿ユニットを取り外した内枠をおもて側から見た図である。
【００４７】
図５に示す内枠１２における右縦縁１２Ｒ側の裏側にはロックユニットが設けられており、その右縦縁１２Ｒ側に開口した各スリット１２０１からは、ロックユニットのガラス枠用ロック片２３１、押出部材２３３、および上皿ユニット用ロック片２４１それぞれがおもて側（図５の紙面手前）に向かって突出している。また、この図５には、上述した、上皿ユニット用ロック片２４１の係合を解除するレバー１２１が、下側のガラス枠用ロック片２３１の左横に示されている。
【００４８】
さらに、図５に示す内枠１２の右下部分には発射装置４０が設けられている。この図５に示す内枠１２からは遊技盤や裏セットも取り外されているが、内枠１２に遊技盤が取り付けられた状態では、発射装置４０は遊技盤よりも下方に位置する。この発射装置４０は、電動式のものであって、金属製のフレーム板４１と、そのフレーム板４１に取り付けられた、図４に示すモータ４２、図５に示す槌先バネ４３、および発射レール４４とを有する。接続金具３１には、Ｕ字部３１１から下方へ向かって延びた延在部３１２が設けられており、この延在部３１２の先端３１２ａは金属製のフレーム板４１に接触している。図４に示すモータ４２の駆動は、図２に示す発射制御基板１４８によって制御されている。図５に示す槌先バネ４３は、発射位置ｓに供給されたパチンコ球を図４に示すモータ４２が駆動することで弾くものである。図５に示すように、内枠１２には金属製の外レール１２２が設けられている。外レール１２２の先端１２２１は、半周以上周回した位置まで延びている。一方、図１に示すように、遊技盤１４には内レール１４１が設けられている。図５に示す発射レール４４は、発射位置ｓから外レール１２２と内レール１４１の間に向けて延びた導電性の部材である。すなわち、図５に示す発射レール４４は、槌先バネ４３で弾かれたパチンコ球を遊技盤まで案内する導電性の部材である。この発射レール４４は、金属製のフレーム板４１に電気的に導通している。パチンコ球は、発射レール４４によって遊技盤まで案内される間に静電気が除去される。発射レール４４によって除去された静電気は、発射レール４４→フレーム板４１→接続金具３１→第１板金３２→第２板金３３→アース線３４といった、ロックユニット２０を経由しないアース経路を通って、グラウンド端子１４６１に到達する。これは、発射装置４０のフレーム板４１の高さ位置とグラウンド端子１４６１の高さ位置がさほど変わらないことから、ロックユニット２０を用いなくても足りるためである。すなわち、発射レール４４によって除去された静電気のアース経路の一部としては、上下に延びたロックユニット２０を用いなくても接続金具３１の延在部３１２を用いることで足りる。しかしながら、接続金具３１の延在部３１２の先端３１２ａとＵ字部３１１とを別部材とし、その先端３１２ａとＵ字部３１１の両者をロックユニット２０によって結び、ロックユニット２０を経由するアース経路にしてもよい。
【００４９】
次に、内枠１２に設けられた外レール１２２を用いたアース構造について詳述する。
【００５０】
図６は、図５に示す内枠を裏側から見た図である。
【００５１】
この図６にも、内枠１２に設けられた金属製の外レール１２２が示されている。この外レール１２２は、図１に示す内レール１４１とともに、パチンコ球を遊技領域Ｐの上方まで案内する。パチンコ球が外レール１２２と内レール１４１によって遊技領域Ｐの上方まで案内される間に、外レール１２２によってパチンコ球から静電気が除去される。
【００５２】
図６に示すように、外レール１２２には、内枠１２の裏側で接続金具１２３が接触している。この接続金具１２３は、内枠１２の裏側からおもて側に突出している（図１および図５参照）。接続金具１２３の突出先端１２３１は、突出方向に付勢されている。一方、図１に示すように、ガラス枠１３の裏面には、金属板１３２が拡がっている。ガラス枠１３は、この金属板１３２によって補強されている。ガラス枠１３を閉めると、接続金具１２３の突出先端１２３１が裏面の金属板１３２によって押されるが、その突出先端１２３１は突出方向に付勢されているため、金属板１３２と突出先端１２３１は確実に接触し、両者は電気的に接続する。
【００５３】
さらに、図１に示すように、ガラス枠１３の裏面に拡がった金属板１３２には、フック金具１３３が上下に１つずつ設けられている。これらのフック金具１３３は、ガラス枠１３の、回動軸１３Ｌが設けられた側とは反対側に設けられている。ガラス枠１３を閉めると、これらのフック金具１３３には、図３に示すロックユニット２０のガラス枠用ロック片２３１に設けられたロック溝２３１１が下方から係合し、ガラス枠１３が閉まった状態に拘束される。また、これらのフック金具１３３は、金属板１３２と電気的に導通しており、ガラス枠用ロック片２３１のロック溝２３１１が係合すると、外レール１２２→接続金具１２３→金属板１３２→フック金具１３３→ロックユニット２０といったアース経路が完成する。したがって、外レール１２２によって除去された静電気は、外レール１２２→接続金具１２３→金属板１３２→フック金具１３３→ロックユニット２０→接続金具３１→第１板金３２→第２板金３３→アース線３４といった、ロックユニット２０を経由するアース経路を通って、グラウンド端子１４６１に到達する。
【００５４】
続いて、上皿ユニット１５を用いたアース構造について詳述する。
【００５５】
図７（ａ）は、上皿ユニットを上方から見たときの図であり、図７（ｂ）は、上皿ユニットの裏面を示す図である。
【００５６】
図７（ａ）に示す上皿ユニット１５の回動軸１５ａは、図の左端に紙面に対して垂直方向に示されており、図７（ｂ）に示す上皿ユニット１５の回動軸１５ａは、図の右端に示されている。また、図７（ａ）には、上皿１５１、玉貸ボタン１５２ａ、カード返却ボタン１５２ｂ、および移動ボタン１５３が示されている。
【００５７】
図７（ａ）に示すように、上皿ユニット１５には、上皿１５１から、図５に示す発射位置ｓに向けて延びる供給路１５４も設けられている。上皿１５１に貯留されていたパチンコ球は、この供給路１５４を通って図５に示す発射位置ｓに供給される。供給路１５４の底壁には、金属プレート１５４１が取り付けられている。パチンコ球が供給路１５４を通る間に、その金属プレート１５４１によってパチンコ球から静電気が除去される。
【００５８】
また、図７（ｂ）に示すように、上皿ユニット１５の裏面にも、ガラス枠１３と同じように金属板１５５が拡がっている。上皿ユニット１５も、図７（ｂ）に示す金属板１５５によって補強されている。この金属板１５５には、金属プレート１５４１に接続する接続片１５５１が設けられている。この接続片１５５１は金属プレート１５４１にネジ１５６で固定されている。なお、図７（ｂ）には、供給路１５４を通ってきたパチンコ球が発射位置ｓに排出される排出口１５５２が示されている。
【００５９】
さらに、図７（ｂ）に示すように、上皿ユニット１５の裏面に拡がった金属板１５５には、フックプレート１５７が設けられている。このフックプレート１５７は、上皿ユニット１５の、回動軸１５ａが設けられた側とは反対側に設けられており、上下に係合片１５７１が１つずつ設けられている。上皿ユニット１５を閉めると、これらの係合片１５７１には、図３に示すロックユニット２０の上皿ユニット用ロック片２４１に設けられたロック溝２４１１が下方から係合し、上皿ユニット１５が閉まった状態に拘束される。また、フックプレート１５７は、金属板１５５と電気的に導通しており、上皿ユニット用ロック片２４１のロック溝２４１１が係合すると、供給路１５４の金属プレート１５４１→金属板１５５→フックプレート１５７→ロックユニット２０といったアース経路が完成する。したがって、供給路１５４の金属プレート１５４１によって除去された静電気は、供給路１５４の金属プレート１５４１→金属板１５５→フックプレート１５７→ロックユニット２０→接続金具３１→第１板金３２→第２板金３３→アース線３４といった、ロックユニット２０を経由するアース経路を通って、グラウンド端子１４６１に到達する。
【００６０】
なお、導電性の樹脂材料で成形された上皿ユニット１５を用いることで、静電気を広範囲にわたって除去しやすくなる。
【００６１】
次いで、図２に示す裏セット１８を用いたアース構造について詳述する。
【００６２】
上述のごとく、裏セット１８は、導電性の樹脂材料で成形されたものであり、内枠１２に対して開閉可能に取付られている。また、貯留タンク１８１と１次レール１８２が配備された裏セット１８の上部は、パチンコ球を貯留するとともに貯留したパチンコ球を下方へ向けて案内する部位である。
【００６３】
図２に示す１次レール１８２の、貯留タンク１８１の排出口１８１２に接続する部分には金属板１８２１が設けられている。図２ではこの金属板１８２１を明確化するためハッチングを施してある。パチンコ球が貯留タンク１８１の排出口１８１２から１次レール１８２に流れ込む間に、この金属板１８２１によってパチンコ球から静電気が除去される。しかも、裏セット１８は導電性の樹脂材料で成形されたものあるため、貯留タンク１８１に貯留されているパチンコ球や、１次レール１８２を通って流下しているパチンコ球からも静電気を除去しやすく、広範囲にわたって静電気が除去される。図２に示す金属板１８２１は、横方向に延びたものであり、裏セット１８が閉まった状態では、その一端はロックユニット２０に向かって延びている。図２に示すように、金属板１８２１の、ロックユニット２０に向かって延びた一端側には折り曲げ加工が施されている。裏セット１８を閉めると、金属板１８２１のその一端は、接続金具５０を介して図４に示すロックユニット２０に接続する。図４に示す接続金具５０は、ロックユニット２０に接触したものであり、バネ性を持ったＵ字部５０１を有する。裏セット１８を閉めると、金属板１８２１の一端はこのＵ字部５０１に接触する。金属板１８２１の一端が接触することで、Ｕ字部５０１は、金属板１８２１の一端に押されるがバネ性によってその一端を押し返し、両者は確実に接触する。したがって、裏セット１８を閉めると、金属板１８２１→接続金具５０→ロックユニット２０といったアース経路が完成し、金属板１８２１によって除去された静電気は、金属板１８２１→接続金具５０→ロックユニット２０→接続金具３１→第１板金３２→第２板金３３→アース線３４といった、ロックユニット２０を経由するアース経路を通って、グラウンド端子１４６１に到達する。
【００６４】
以上説明したように、本実施形態のパチンコ機１には、合計４つのアース構造が設けられている。これら４つのアース構造うち、内枠１２の外レール１２２→接続金具１２３→金属板１３２→フック金具１３３→ロックユニット２０といったアース経路を有するアース構造，上皿ユニット１５の金属プレート１５４１→金属板１５５→フックプレート１５７→ロックユニット２０といったアース経路を有するアース構造，および裏セット１８の金属板１８２１→接続金具５０→ロックユニット２０といったアース経路を有するアース構造は、ロックユニット２０を上下に延びるアース経路の一部として有効利用しており、アース経路にアース線を極力用いなくてもすむことになる。また、残り一つの、発射装置４０の発射レール４４→フレーム板４１→接続金具３１→第１板金３２→第２板金３３→アース線３４といった、ロックユニット２０を経由しないアース経路を有するアース構造であっても、先の３つアース構造と同じく、最後にしかアース線３４が用いられておらず、アース線の使用が極力抑えられている。この結果、本実施形態のパチンコ機１では、アース線を外さないと、内枠１２やガラス枠１３や裏セット１８の開閉を行うことができないようなことはなく、また、アース線の取り回しが複雑になることもなく組み立てが容易である。しかも、本実施形態のパチンコ機１を組み立てることさえすれば、最後のアース線３４の前までは自然にアース経路が完成し、何本ものアース線を一つ一つネジ止めするといった手間が不要である。
【図面の簡単な説明】
【００６５】
【図１】本実施形態のパチンコ機を示す斜視図である。
【図２】図１に示すパチンコ機の内枠を開いた状態を示す斜視図である。
【図３】図２に示すロックユニットの側面図である。
【図４】図３に示すロックユニットをアース経路の一部として利用していることを説明するための斜視図である。
【図５】ガラス枠、上皿ユニット、および下皿ユニットを取り外した内枠をおもて側から見た図である。
【図６】図５に示す内枠を裏側から見た図である。
【図７】図７（ａ）は、上皿ユニットを上方から見たときの図であり、図７（ｂ）は、上皿ユニットの裏面を示す図である。
【符号の説明】
【００６６】
１    パチンコ機
１１    外枠
１２    内枠
１２２    外レール
１２３    接続金具
１３    ガラス枠
１３Ｌ    回動軸
１３２    金属板
１４    遊技盤
１４６１    グラウンド端子
１５    上皿ユニット
１５ａ    回動軸
１５１    上皿
１５４    供給路
１５４１    金属プレート
１５５    金属板
１８    裏セット
１８２１    金属板
２０    ロックユニット
２３１    ガラス枠用ロック片
２４１    上皿ユニット用ロック片
３１    接続金具
４０    発射装置
４１    フレーム
４４    発射レール
５０    接続金具
Ｐ    遊技領域
【図１】
2008131984.tif 000003
【図２】
2008131984.tif 000004
【図３】
2008131984.tif 000005
【図４】
2008131984.tif 000006
【図５】
2008131984.tif 000007
【図６】
2008131984.tif 000008
【図７】
2008131984.tif 000009